(57)【特許請求の範囲】
【請求項１】
回路基板の接点上に変形可能なバネ性を有するドーム状金属板を搭載して構成するキースイッチにおいて、
上記回路基板と上記ドーム状金属板の間に、上記ドーム状金属板の動作時の振動が上記回路基板に伝わるのを軽減する免震シートを設け、その免震シートの上記接点部分に貫通孔を設け、その貫通孔を跨るように上記ドーム状金属板が上記免震シート上に設けられ、上記回路基板表面には２つの接点がそれぞれ櫛歯状のパターンを有しそれらが所定のギャップをもって噛合するように形成され、上記ドーム状金属板中央部には底部が平坦な凹部を設け、その凹部の底部を少なくとも一方の上記接点パターンの１ラインとそれに隣接するもう一方の上記接点パターンの１ラインに跨る大きさに形成したことを特徴とするキースイッチ。
【請求項２】
請求項１に記載のキースイッチにおいて、
上記免震シートと上記ドーム状金属板の間に絶縁シートを設け、その絶縁シート上に上記ドーム状金属板が設けられ、上記絶縁シート下面には下方の上記２つの接点パターンに上記免震シートをスペーサとして形成したギャップをもって対向する導電体を設け、その導電体を少なくとも一方の上記接点パターンの１ラインとそれに隣接するもう一方の上記接点パターンの１ラインに跨る大きさに形成したことを特徴とするキースイッチ。
【請求項３】
請求項１又は請求項２に記載のキースイッチにおいて、
上記ドーム状金属板を固定するカバーテープを設けたことを特徴とするキースイッチ。
【発明の詳細な説明】
【技術分野】
【０００１】
本発明は、携帯電話機やデジタルカメラ等の操作部に備えるキースイッチに関する。
【背景技術】
【０００２】
図７に、小型スイッチの技術分野において「スナッププレート」、「クリックバネ」、「メタルドーム」、「反転バネ」等と呼ばれている変形可能なバネ性を有するドーム状金属板を回路基板上に直接搭載して構成した従来のキースイッチ構造を示す。
【０００３】
図７に示す従来のキースイッチＳＷは、回路基板（リジット又はＦＰＣ）１上に印刷で形成された中心の導電回路（同心な内外円接点の内側接点）２ａを跨るようにドーム状金属板３が設けられる。ドーム状金属板３は、中心の導電回路２ａの周囲に印刷で形成されたもう一方の導電回路（同心な内外円接点の円形、又は一部に切れ間を設けたＣ形の外側接点）２ｂ上に粘着テープ４によって固定されている。ドーム状金属板３の上部を図示しないキーを介して押し下げすると、ドーム状金属板３の上部は凸状から凹状に反転変形し中心の導電回路２ａとも接触する。それにより、２つの接点パターン２ａ，２ｂはドーム状金属板３を介して導通する。すなわちキースイッチＳＷがＯＮになる。ドーム状金属板３の押し下げを解除すると、ドーム状金属板３の上部は元の凸状に戻り中心の導電回路２ａから離反する。それにより、２つの接点パターン２ａ，２ｂの間の導通は断たれる。すなわちキースイッチＳＷがＯＦＦになる（例えば特許文献１、２参照）。
【先行技術文献】
【特許文献】
【０００４】
【特許文献１】特開２００２−２０３４５４号公報
【特許文献２】国際公開０１／０８０２６３号公報
【発明の概要】
【発明が解決しようとする課題】
【０００５】
近年、携帯電話機のキーでは、メール操作が多くなってきている。そのため、操作音が大きいと音の迷惑がかかる。また、デジタルカメラでは録画機能が追加され、録画時にキーを操作すると、操作音が大きいと同時に録音されてしまうことがある。キースイッチには静音性が求められているが、上記のとおり、キースイッチは、２つの基板接点（固定接点）を導通させる可動接点にドーム状金属板を使用し、ドーム状金属板特有のシャープで明瞭なクリック感触を得る。それゆえ、従来のキースイッチは、ドーム状金属板の動作時の振動が直接基板に伝わり共振するため、比較的大きな操作音を伴い、静音性に欠けるという問題がある。
【０００６】
本発明の目的は、明瞭なクリック感触及び高い接触信頼性を確保しながら、操作音を低減し静音性に優れたキースイッチを提供することにある。
【課題を解決するための手段】
【０００７】
上記の目的を達成するため本発明は、回路基板の接点上に変形可能なバネ性を有するドーム状金属板を搭載して構成するキースイッチにおいて、上記回路基板と上記ドーム状金属板の間に、上記ドーム状金属板の動作時の振動が上記回路基板に伝わるのを軽減する免震シートを設け、その免震シートの上記接点部分に貫通孔を設け、その貫通孔を跨るように上記ドーム状金属板が上記免震シート上に設けられ、上記回路基板表面には２つの接点がそれぞれ櫛歯状のパターンを有しそれらが所定のギャップをもって噛合するように形成され、上記ドーム状金属板中央部には底部が平坦な凹部を設け、その凹部の底部を少なくとも一方の上記接点パターンの１ラインとそれに隣接するもう一方の上記接点パターンの１ラインに跨る大きさに形成し、ドーム状金属板によって、明瞭なクリック感触を確保する。また、回路基板とドーム状金属板の間に免震シートを設けることによって、上記ドーム状金属板の動作時の振動が上記回路基板に伝わるのを軽減し、操作音を低減する。また、ドーム状金属板中央部には底部が平坦な凹部を設けることよって、ドーム状金属板中央部下面を回路基板と並行させ、ドーム状金属板中央部下面を面当たりで回路基板に当接させ、ドーム状金属板による回路基板の打鍵音を軽減し、さらに操作音を低減する。また、ドーム状金属板中央部には底部が平坦な凹部を設け、その凹部の底部を少なくとも一方の上記接点パターンの１ラインとそれに隣接するもう一方の上記接点パターンの１ラインに跨る大きさに形成することによって、ドーム状金属板中央部下面を回路基板と並行させ、ドーム状金属板中央部下面を面当たりで櫛歯状の２つの接点パターンと接触させるので、免震シートの採用で櫛歯状のパターンを有することになった回路基板の２つの接点パターンとドーム状金属板の安定した接触を得て、高い接触信頼性を確保するものである。
【０００８】
また、本発明において、上記免震シートと上記ドーム状金属板の間に絶縁シートを設け、その絶縁シート上に上記ドーム状金属板が設けられ、上記絶縁シート下面には下方の上記２つの接点パターンに上記免震シートをスペーサとして形成したギャップをもって対向する導電体を設け、その導電体を少なくとも一方の上記接点パターンの１ラインとそれに隣接するもう一方の上記接点パターンの１ラインに跨る大きさに形成した場合、ドーム状金属板を押し下げると、ドーム状金属板は変形し絶縁シートを押し下げる。２つの接点パターンは絶縁シート下面に設けた導電体を介して導通する。こうして、ドーム状金属板が直接回路基板に当接しないようにすることによって、ドーム状金属板による回路基板の打鍵音を無くし、操作音をさらに低減する。ここで、回路基板と並行させたドーム状金属板中央部下面によって、絶縁シートを面当たりで押し下げ、導電体を面当たりで櫛歯状の２つの接点パターンと接触させるので、免震シートの採用で櫛歯状のパターンを有することになった回路基板の２つの接点パターンとドーム状金属板の安定した接触を得て、高い接触信頼性を確保できる。
【０００９】
また、本発明において、上記ドーム状金属板を固定するカバーテープを設けた場合、ドーム状金属板と免震シートとカバーテープを、１枚のシート状のスイッチユニットとして取り扱うことができ、又はドーム状金属板と免震シート（スペーサ）と絶縁シートとカバーテープを、１枚のシート状のスイッチユニットとして取り扱うことができ、キースイッチの製造が容易に行え、コストも安くなる。
【発明の効果】
【００１０】
以上から本発明によれば、明瞭なクリック感触及び高い接触信頼性を確保しながら、操作音を低減し静音性に優れたキースイッチを提供できる。
【図面の簡単な説明】
【００１１】
【図１】本発明の実施形態に係るキースイッチ装置を示す平面図である。
【図２】図１の分解斜視図である。
【図３】図１の個々のキースイッチ構造を示すＡ−Ａ断面図である。
【図４】図１の個々のキースイッチの基板接点形状を示す平面図である。
【図５】本発明の他の実施形態に係るキースイッチ装置の分解斜視図である。
【図６】図５の個々のキースイッチ構造を示す断面図である。
【図７】従来のキースイッチ構造を示す断面図。
【発明を実施するための形態】
【００１２】
以下、本発明の実施形態を図１ないし図４を参照して説明する。
【００１３】
図１は本発明の実施形態に係るキースイッチ装置を示す平面図、図２は図１の分解斜視図、図３は図１の個々のキースイッチ構造を示すＡ−Ａ断面図、図４は図１の個々のキースイッチの基板接点形状を示す平面図である。
【００１４】
図１に示すキースイッチ装置は、キー複数個分一体型タイプであって、機器筐体の表面に配列される１０キー分１０個のキースイッチＳＷ１を、キー配列に応じて、一体的に配列構成するもので、図２に示すように、回路基板１０、免震シート２０、スナッププレート４０、及びカバーテープ５０とで構成されている。
【００１５】
図２に示すように、回路基板１０は、上下方向に長い矩形状をした柔軟性のあるフレキシブルプリント基板（ＦＰＣ）から構成されている。回路基板１０の上部には矩形状の突出部１１が形成され、回路基板１０の右外側には回路基板１０の右側縁下部から延出し、先端が上方に向くようにＬ形に屈曲する帯状のテール部１２が形成されている。回路基板１０には銅箔等の導電体からなる基板接点である固定接点１３が、１キースイッチＳＷ１当たり１個で１０キースイッチＳＷ１分１０個、キー配列に応じて、配列形成されている。１０個の固定接点１３のうち、９個が、回路基板１０の突出部１１とテール部１２以外の主部に配列形成され、残りの１個が、突起部１２の中央部に配列形成されている。また、回路基板１０には回路素子や電子部品等の７個の実装部品１６が、表面実装されている。７個の実装部品１６のうち、１個が、回路基板１０の主部左端上部の実装領域に実装され、残りの６個が、突起部１１の下部に横に倒れたＴ字状の実装領域に上下方向と左右方向に３つずつ並べられて実装されている。また、回路基板１０には１０キースイッチＳＷ１分１０個の固定接点１３と共に、個々のキースイッチＳＷ１の出力用と個々の実装部品１６の入出力用の端子１７が、テール部１２の上端に、横一列に並べられて形成され、併せて回路基板１０には全体的に、個々のキースイッチＳＷ１とその端子１７、及び個々の電子部品１７とその端子１７を接続する回路引き回し用の配線１８が形成されている。この回路基板１０は片面プリント基板であり、各固定接点１３、各端子１７、各配線１８は回路基板１０の上面１０ａに形成され、実装部品１６も回路基板１０の上面１０ａに実装されている。なお、回路基板１０は、フレキシブル基板に限らず、リジット基板であってもよい。
【００１６】
図４に示すように、各固定接点１３は、それぞれが対向する一対の固定接点である第１固定接点１４と第２固定接点１５から構成されている。第１固定接点１４と第２固定接点１５は、櫛歯状のパターンを有し、それぞれが所定のギャップ（間隔）Ｌ３をもって噛合するように形成されて、１つの略円形な固定接点１３を構成している。具体的には、第１固定接点１４と第２固定接点１５は、円弧形状（弓形）に彎曲した１本の基部ライン１４ａ，１５ａと、その基部ライン１４ａ，１５ａの内縁からその円弧形状の弦となる直線と直角な方向に並行して突出する複数本の歯部ライン１４ｂ，１５ｂと、各歯部ライン１４ｂ，１５ｂの相互間に形成されるギャップ１４ｃ，１５ｃを有している。各歯部ライン１４ｂ，１５ｂは一定なライン幅Ｌ１を有し、等ピッチ間隔で配列されている。各ギャップ１４ｃ，１５ｃは歯部ライン１４ｂ，１５ｂのライン幅Ｌ１よりも大きい一定なギャップ幅Ｌ２を有し、等ピッチ間隔で配列されている。第１固定接点１４と第２固定接点１５は、それぞれの基部ライン１４ａ，１５ａが略同一円周上に位置するように、対向して配置され、それぞれの歯部ライン１４ｂ，１５ｂを周囲にギャップＬ３をもって相手側のギャップ１４ｃ，１５ｃ内に挿入配置して、１つの略円形な固定接点１３を構成している。１つの固定接点１３内では第１固定接点１４の歯部ライン１４ｂと第２固定接点１５の歯部ライン１５ｂが、交互に、かつ等ピッチ間隔で並行して配列されている。
【００１７】
図２に示すように、免震シート２０は、片面粘着テープ（シート）を、回路基板１０のテール部１２以外の主部と突出部１１に重なり合う外形に、打ち抜き加工したものである。片面粘着テープは、柔軟性や絶縁性をもつポリエステル等の樹脂フィルムからなるテープ基材の下面に粘着剤を塗布等によって設けたものである。免震シート２０には、回路基板１０に形成された各固定接点１３と対向する１０箇所に、円形の抜き孔である貫通孔２１が形成されている。貫通孔２１は、固定接点１３よりも僅かに大きい直径（大きさ）を有している。また、回路基板１０の主部左端上部の実装領域と対向する１箇所を切り欠く切り欠き２２と、回路基板１０の突起部１１の下部の実装領域と対向する１箇所を打ち抜く横に倒れたＴ字形の抜き孔２３が形成されている。また、回路基板１０の突起部１２の中央部に形成された１個の固定接点１３と対向する１個の貫通孔２１以外の９個の貫通孔２１は、貫通孔２１同士の間で空気を流通できるように、細幅な線状の抜き孔である溝孔２４によって、相互に繋がれている。回路基板１０の突起部１２の中央部に形成された１個の固定接点１３と対向する貫通孔２１は、比較的大きな抜き孔２３との間で空気を流通できるように、その抜き孔２３と別の溝孔２４によって、繋がれている。
【００１８】
図２に示すように、スナッププレート４０は、１キースイッチＳＷ１当たり１個で１０キースイッチＳＷ１分１０個、設けられている。各スナッププレート４０は、それぞれがばね用ステンレス鋼（例えば、ＳＵＳ３０１等）のプレス加工によって形成された円盤状のドーム状金属板である。スナッププレート４０は、バネ性を有し、頂部からの押圧力に対しクリック感触を伴なって変形（反転）するものである。図３に示すように、スナッププレート４０は、免震シート２０の貫通孔２１を覆うように跨いで、その貫通孔２１の周囲にある免震シート２０の上面に外縁部を当接載置することができるように、その貫通孔２１よりもやや大きい直径（大きさ）を有している。また、スナッププレート４０の中央部には、スナッププレート４０の中央部下面４１を回路基板１０と並行させるため、底部が平坦な逆円錐台形の凹部４２が形成されている。図４に示すように、凹部４２の底部は、スナッププレート４０の中央部下面４１の大きさを少なくとも第１固定接点１４の歯部ライン１４ｂの１ラインとそれに隣接する第２固定接点１５の歯部ライン１５ｂの１ラインに跨る直径（大きさ）に形成する直径（大きさ）に形成されている。すなわち凹部４２の底部の直径は、スナッププレート４０の中央部下面４１の直径が、Ｌ１×２＋Ｌ３以上になるように設定され、また、図示するように、Ｌ１×３＋Ｌ３×２以上に設定することがより好ましい。
【００１９】
図２に示すように、カバーテープ５０は、片面粘着テープ（シート）を、回路基板１０のテール部１２以外の主部と突出部１１に重なり合う外形に、打ち抜き加工したものである。片面粘着テープは柔軟性や絶縁性をもつポリエステル等の樹脂フィルムからなるテープ基材の下面に粘着剤を塗布等によって設けたものである。ここで、カバーテープ５０は、回路基板１０の突出部１１とテール部１２以外の主部に重なり合う外形を有する大判テープ５０ａと、回路基板１０の突出部１１に重なり合う外形を有する小判テープ５０ｂの２つに分割形成されている。大判テープ５０ａ側には、免震シート２０の切り欠き２２と重なり合うよう、それと同じ形状の切り欠き５１が形成されている。大判テープ５０ａの上縁５２と小判テープ５０ｂの下縁５３は、免震シート２０の抜き孔２３と重なり合う大判テープ５０ａの上部と小判テープ５０ｂの下部を、それぞれカットするカットラインに沿って形成されている。
【００２０】
図２に示すように、回路基板１０、免震シート２０、カバーテープ５０には、キースイッチ装置を組み立てる際のその構成部品同士の位置決め、及び組み立てたキースイッチ装置を機器筐体に組み付ける際のそのキースイッチ装置の位置決めに使用する位置決め孔６０が、複数ずつ形成されている。位置決め孔６０は表裏貫通の円形な小孔である。
【００２１】
次に、図１に示すキースイッチ装置の組み立てについて説明する。
【００２２】
図３に示すように、回路基板１０を除く、免震シート２０とスナッププレート４０、及びカバーテープ５０は、１枚のシート状のスイッチユニット７０を構成しており、そのスイッチユニット７０を回路基板１０の上面１０ａに重合固定することによって、キースイッチ装置の組み立てが、完了する。
【００２３】
スイッチユニット７０を組み立る際は、９キースイッチＳＷ１分９個のスナッププレート４０の上面を、カーバーテープ５０の大判テープ５０ａ側の下面に、そこに設けられた粘着剤を介して、キー配列に応じて、配列固定し、また、残りの１キースイッチＳＷ１分１個のスナッププレート４０の上面を、カバーテープ５０の小判テープ５０ｂ側の中央部下面に、そこに設けられた粘着剤を介して、キー配列に応じて、配列固定し、カバーテープ５０の下面に１０キースイッチＳＷ１分１０個のスナッププレート４０を、キー配列に応じて、配列固定（搭載：マウント）する。この際、スナッププレート４０のマウンタに対してカバーテープ５０を、そこに形成された位置決め孔６０を使用して位置決めし、個々のスナッププレート４０を各キー配置に、正確に配列固定する。
【００２４】
続いて、免震シート２０の上面に、カーバーテープ５０の下面を、そこに設けられた接着剤を介して、重合固定する。この際、免震シート２０に対してカーバーテープ５０を、その両者に形成された位置決め孔６０を使用して位置決めし、カーバーテープ５０を免震シート２０の上面に、正確に重合固定すると共に、個々のスナッププレート４０の位置と免震シート２０の個々の貫通孔２１の位置を、それらの中心が平面視で一致するように、正確に合わせる。これで、スイッチユニット７０の組み立てが、完了する。
【００２５】
スイッチユニット７０は、免震シート２０の上面に１０キースイッチＳＷ１分１０個のスナッププレート４０が設けられ、その１０キースイッチＳＷ１分１０個のスナッププレート４０が、カバーテープ５０によって上から押さえられて、免震シート２０の上面に固定されている。また、個々のスナッププレート４０、免震シート２０の個々の貫通孔２１は、平面視で同心状に配置されて、各キー配置に、正確に配列されている。
【００２６】
このようなスイッチユニット７０は、例えば、上面に剥離剤等が塗布等によって設けられた離間紙等のベースシートの上面に、重合固定しておくことにより、スイッチユニット７０製品（スナッププレート付きスイッチシート）として市場に提供できる。ベースシートの上面には、スイッチユニット７０の下面（免震シート２０の下面）を、そこに設けられた接着剤を介して、重合固定する。
【００２７】
そして、キースイッチ装置を組み立てる際は、ベースシートを剥がし、スイッチユニット７０の下面を露出し、スイッチユニット７０の下面を、そこに設けられた接着剤を介して、回路基板１０の上面１０ａに重合固定する。この際、回路基板１０に対してスイッチユニット７０を、その両者に形成された位置決め孔６０を使用して位置決めし、スイッチユニット７０を回路基板１０の上面１０ａに、正確に重合固定すると共に、免震シート２０の個々の貫通孔２１の位置と回路基板１０の個々の固定接点１３の位置を、それらの中心が平面視で一致するように、正確に合わせる。これで、キースイッチ装置の組み立てが、完了する。
【００２８】
キースイッチ装置は、回路基板１０の上面にスイッチユニット７０が重合固定されて、回路基板１０の上面に免震シート２０が重合固定され、その免震シート２０の上面に１０キースイッチＳＷ１分１０個のスナッププレート４０が設けられ、その１０キースイッチＳＷ１分１０個のスナッププレート４０が、カバーテープ５０によって上から押さえられて、免震シート２０の上面に固定されている。また、個々のスナッププレート４０、免震シート２０の個々の貫通孔２１、回路基板１０の個々の固定接点１３は、平面視で同心状に配置されて、各キー配置に、正確に配列されている。また、個々のスナッププレート４０と回路基板１０の個々の固定接点１３は、免震シート２０をスペーサとして形成された個々のギャップ（免震シート２０の厚み）の上下に配置されて、対向している。また、その免震シート２０の個々の貫通孔２１と回路基板１０の個々の固定接点１３を覆い跨るように、個々のスナッププレート４０が、免震シート２０の上面に設けられている。個々のスナッププレート４０の外縁部と回路基板１０の間には、免震シート２０が介在している。また、個々のスナッププレート４０の中央部下面４１と回路基板１０の個々の固定接点１３の間には、個々のスナッププレート４０の中央部下面４１と免震シート２０の個々の貫通孔２１の上部開口の間にあるギャップと、免震シート２０をスペーサとして形成された個々のギャップ（免震シート２０の厚み）が介在している。
【００２９】
キースイッチ装置の個々のキースイッチＳＷ１は、図３に示すように、回路基板１０の上面にスイッチユニット７０が重合固定されて、回路基板１０の上面に免震シート２０が重合固定され、その免震シート２０の上面にスナッププレート４０が設けられ、そのスナッププレート４０が、カバーテープ５０によって上から押さえられて、免震シート２０の上面に固定されている。また、スナッププレート４０、免震シート２０の貫通孔２１、回路基板１０の固定接点１３は、平面視で同心状に配置されて、各キー配置に、正確に配列されている。また、スナッププレート４０と回路基板１０の固定接点１３は、免震シート２０をスペーサとして形成されたギャップ（免震シート２０の厚み）の上下に配置されて、対向している。また、その免震シート２０の貫通孔２１と回路基板１０の固定接点１３を覆い跨るように、スナッププレート４０が、免震シート２０の上面に設けられている。スナッププレート４０の外縁部と回路基板１０の間には、免震シート２０が介在している。また、スナッププレート４０の中央部下面４１と回路基板１０の固定接点１３の間には、スナッププレート４０の中央部下面４１と免震シート２０の貫通孔２１の上部開口の間にあるギャップと、免震シート２０をスペーサとして形成されたギャップ（免震シート２０の厚み）が介在している。
【００３０】
こうしてキースイッチ装置の個々のキースイッチＳＷ１は、回路基板１０の接点である固定接点１３上に変形可能なバネ性を有するドーム状金属板であるスナッププレート４０が搭載されて、構成されている。具体的には、回路基板１０とスナッププレート４０の間に免震シート２０が設けられ、その免震シート２０の固定接点１３部分に貫通孔２１が設けられ、その貫通孔２１を跨るようにスナッププレート４０が免震シート４０上に設けられている。また、回路基板１０の上面１０ａには２つの接点である第１固定接点１４と第２固定接点１５がそれぞれ櫛歯状のパターンを有しそれらが所定のギャップＬ３をもって噛合するように形成されている。また、スナッププレート４０中央部には底部が平坦な凹部４２が設けられ、その凹部４２の底部を少なくとも一方の接点パターンの１ラインである第１固定接点１４の歯部ライン１４ｂの１ラインとそれに隣接するもう一方の接点パターンの１ラインである第２固定接点１５の歯部ライン１５ｂの１ラインに跨る直径（大きさ）に形成してある。さらに、スナッププレート４０を固定するカバーテープ５０を設けている。
【００３１】
次に、キースイッチ装置の個々のキースイッチＳＷ１の動作について説明する。
【００３２】
図３はキースイッチＳＷ１がＯＦＦのときの状態を示しており、このＯＦＦ状態からスナッププレート４０の中心部を図示しないキーを介して押し下げすると、スナッププレート４０の凹部４２の周囲にある中央部が、凸状から凹状に反転変形し、スナッププレート４０の中央部下面４１が、下方の回路基板１０の固定接点１３に接触する。それにより、固定接点１３の第１固定接点１４と第２固定接点１５はスナッププレート４０を介して導通する。すなわちキースイッチＳＷ１はスナッププレート４０を可動接点としてキースイッチＳＷ１をＯＮにする。
【００３３】
このＯＮ状態で図示しないキーから手指を離し、スナッププレート４０の押し下げを解除すると、スナッププレート４０の凹部４２の周囲にある中央部は、元の凸状に戻る。それにより、可動接点としてのスナッププレート４０の中央部下面４１が、回路基板１０の固定接点１３から離反し、固定接点１３の第１固定接点１４と第２固定接点１５の間の導通は断たれる。すなわちキースイッチＳＷ１がＯＦＦになる。
【００３４】
以上、キースイッチ装置の個々のキースイッチＳＷ１は、ドーム状金属板であるスナッププレート４０の反転時の動作力の変化によって、クリック感触を付与するので、ドーム状金属板特有のシャープで明瞭なクリック感触を得ることができる。
【００３５】
また、回路基板１０とスナッププレート４０の間に免震シート２０を設け、免震シート２０によって、スナッププレート４０の動作時の振動が回路基板１０に伝わるのを軽減するので、操作音を低減することができる。
【００３６】
また、スナッププレート４０の中央部には底部が平坦な凹部４２を設け、スナッププレート４０の中央部下面４１を回路基板１０と並行させ、スナッププレート４０の中央部下面４１を面当たりで回路基板１０に当接させ、スナッププレート４０による回路基板１０の打鍵音を軽減するので、さらに操作音を低減することができる。
【００３７】
また、スナッププレート４０の中央部には底部が平坦な凹部４２を設け、スナッププレート４０の中央部下面４１を回路基板１０と並行させ、その凹部４２の底部を少なくとも第１固定接点１４の歯部ライン１４ｂの１ラインとそれに隣接する第２固定接点１５の歯部ライン１５ｂの１ラインに跨る大きさに形成し、スナッププレート４０の中央部下面４１を面当たりで櫛歯状の第１固定接点１４と第２固定接点１５に接触させるので、免震シート４０の採用で櫛歯状のパターンを有することになった回路基板１０の第１固定接点１４と第２固定接点１５と、スナッププレート４０との安定した接触を得ることができ、高い接触信頼性を確保することができる。
【００３８】
また、スナッププレート４０を固定するカバーテープ５０を設け、スナッププレート４０と免震シート２０（スペーサ）とカバーテープ５０を、１枚のシート状のスイッチユニット７０として取り扱うので、キースイッチＳＷ１の製造が容易に行え、コストも安くなる。
【００３９】
次に、本発明の他の実施形態を図５、図６を参照して説明する。
【００４０】
図５は本発明の他の実施形態に係るキースイッチ装置の分解斜視図、図６は図５の個々のキースイッチ構造を示す断面図である。なお、本発明の他の実施形態に係るキースイッチ装置の平面図は図１と同一であり、本発明の他の実施形態に係るキースイッチ装置の個々の基板接点形状を示す平面図は図４と同一であり、それぞれ、省略する。また、図５に示すキースイッチ装置において、図１に示すキースイッチ装置と同一構造には、同一符号を付して、その説明は省略する。
【００４１】
図５に示すキースイッチ装置は、キー複数個分一体型タイプであって、機器筐体の表面に配列される１０キー分１０個のキースイッチＳＷ２を、キー配列に応じて、一体的に配列構成するもので、回路基板１０、免震シート２０、絶縁シート３０、スナッププレート４０、及びカバーテープ５０とで構成されている。すなわち図５に示すキースイッチ装置は、絶縁シート３０を設けた点のみが図１に示すキースイッチ装置と異なり、それ以外の構造は図１に示すキースイッチ装置と略同一である。
【００４２】
図５に示すように、絶縁シート３０は、柔軟性や絶縁性をもつポリエステル等の樹脂フィルム（シート）を、回路基板１０のテール部１２以外の主部と突出部１１に重なり合う外形に、打ち抜き加工したものである。また、絶縁シート３０の下面３０ａには、回路基板１０に形成された各固定接点１３と対向する１０箇所に、銀箔やカーボン箔等からなる円形の導電体３１が、印刷によって、形成されている。図４に示すように、各導電体３１は、それぞれが少なくとも第１固定接点１４の歯部ライン１４ｂの１ラインとそれに隣接する第２固定接点１５の歯部ライン１５ｂの１ラインに跨る直径（大きさ）に形成されている。すなわち導電体３１の直径は、Ｌ１×２＋Ｌ３以上になるように設定され、Ｌ１×３＋Ｌ３×２以上に設定することがより好ましい。図４に示す導電体３１はＬ１×１１＋Ｌ３×１０の直径を有する。図５に戻って、絶縁シート３０には、免震シート２０の切り欠き２２と重なり合うよう、それと同じ形状の切り欠き３２と、免震シート２０の抜き孔２３と重なり合うよう、それと同じ形状の抜き孔３３が形成されている。このような絶縁シート３０にも、複数の位置決め孔６０が形成されている。
【００４３】
なお、本実施形態において、免震シート２０は、両面粘着テープ（シート）を、回路基板１０のテール部１２以外の主部と突出部１１に重なり合う外形に、打ち抜き加工したものである。両面粘着テープは、柔軟性や絶縁性をもつポリエステル等の樹脂フィルムからなるテープ基材の上下面に粘着剤を塗布等によって設けたものである。
【００４４】
次に、図５に示すキースイッチ装置の組み立てについて説明する。
【００４５】
図５に示すように、回路基板１０を除く、免震シート２０と絶縁シート３０とスナッププレート４０、及びカバーテープ５０は、１枚のシート状のスイッチユニット７１を構成しており、そのスイッチユニット７１を回路基板１０の上面１０ａに重合固定することによって、キースイッチ装置の組み立てが、完了する。
【００４６】
スイッチユニット７１を組み立る際は、９キースイッチＳＷ２分９個のスナッププレート４０の上面を、カーバーテープ５０の大判テープ５０ａ側の下面に、そこに設けられた粘着剤を介して、キー配列に応じて、配列固定し、また、残りの１キースイッチＳＷ２分１個のスナッププレート４０の上面を、カバーテープ５０の小判テープ５０ｂ側の中央部下面に、そこに設けられた粘着剤を介して、キー配列に応じて、配列固定し、カバーテープ５０の下面に１０キースイッチＳＷ２分１０個のスナッププレート４０を、キー配列に応じて、配列固定（搭載：マウント）する。この際、スナッププレート４０のマウンタに対してカバーテープ５０を、そこに形成された位置決め孔６０を使用して位置決めし、個々のスナッププレート４０を各キー配置に、正確に配列固定する。
【００４７】
続いて、カバーテープ５０の大判テープ５０ａの下面を、そこに設けられた粘着剤を介して、絶縁シート３０の主部上面に重合固定し、また、カバーテープ５０の小判テープ５０ｂの下面を、そこに設けられた粘着剤を介して、絶縁シート３０の突出部上面に重合固定し、絶縁シート３０の上面にカバーテープ５０を重合固定する。この際、絶縁シート３０に対してカバーテープ５０を、その両者に形成された位置決め孔６０を使用して位置決めし、カバーテープ５０を絶縁シート３０の上面に、正確に重合固定すると共に、個々のスナッププレート４０の位置と絶縁シート３０の個々の導電体３１の位置を、それらの中心が平面視で一致するように、正確に合わせる。
【００４８】
続いて、絶縁シート３０の下面を、免震シート２０の上面に、そこに設けられた接着剤を介して、重合固定する。この際、免震シート２０に対して絶縁シート３０を、その両者に形成された位置決め孔６０を使用して位置決めし、絶縁シート３０を免震シート２０の上面に、正確に重合固定すると共に、絶縁シート３０の個々の導電体３１の位置と免震シート２０の個々の貫通孔２１の位置を、それらの中心が平面視で一致するように、正確に合わせる。これで、スイッチユニット７１の組み立てが、完了する。
【００４９】
スイッチユニット７１は、免震シート２０の上面に絶縁シート３０が重合固定され、その絶縁シート３０の上面に１０キースイッチＳＷ２分１０個のスナッププレート４０が設けられ、その１０キースイッチＳＷ２分１０個のスナッププレート４０が、カバーテープ５０によって上から押さえられて、絶縁シート３０の上面に固定されている。また、個々のスナッププレート４０、絶縁シート３０の個々の導電体３１、免震シート２０の個々の貫通孔２１は、平面視で同心状に配置されて、各キー配置に、正確に配列されている。
【００５０】
このようなスイッチユニット７１は、例えば、上面に剥離剤等が塗布等によって設けられた離間紙等のベースシートの上面に、重合固定しておくことにより、スイッチユニット７１製品（スナッププレート付きスイッチシート）として市場に提供できる。ベースシートの上面には、スイッチユニット７１の下面（免震シート２０の下面）を、そこに設けられた接着剤を介して、重合固定する。
【００５１】
そして、キースイッチ装置を組み立てる際は、ベースシートを剥がし、スイッチユニット７１の下面を露出し、スイッチユニット７１の下面を、そこに設けられた接着剤を介して、回路基板１０の上面１０ａに重合固定する。この際、回路基板１０に対してスイッチユニット７１を、その両者に形成された位置決め孔６０を使用して位置決めし、スイッチユニット７１を回路基板１０の上面１０ａに、正確に重合固定すると共に、免震シート２０の個々の貫通孔２１の位置と回路基板１０の個々の固定接点１３の位置を、それらの中心が平面視で一致するように、正確に合わせる。これで、キースイッチ装置の組み立てが、完了する。
【００５２】
キースイッチ装置は、回路基板１０の上面にスイッチユニット７１が重合固定されて、回路基板１０の上面に免震シート２０が重合固定され、その免震シート２０の上面に絶縁シート３０が重合固定され、その絶縁シート３０の上面に１０キースイッチＳＷ２分１０個のスナッププレート４０が設けられ、その１０キースイッチＳＷ２分１０個のスナッププレート４０が、カバーテープ５０によって上から押さえられて、絶縁シート３０の上面に固定されている。また、個々のスナッププレート４０、絶縁シート３０の個々の導電体３１、免震シート２０の個々の貫通孔２１、回路基板１０の個々の固定接点１３は、平面視で同心状に配置されて、各キー配置に、正確に配列されている。また、絶縁シート３０の個々の導電体３１と回路基板１０の個々の固定接点１３は、免震シート２０をスペーサとして形成された個々のギャップ（免震シート２０の厚み）Ｌ４の上下に配置されて、対向している。また、その絶縁シート３０の個々の導電体３１と回路基板１０の個々の固定接点１３を覆い跨るように、個々のスナッププレート４０が、絶縁シート３０の上面に設けられている。個々のスナッププレート４０の外縁部と回路基板１０の間には、絶縁シート３０と免震シート２０が介在している。また、個々のスナッププレート４０の凹部４２と回路基板１０の個々の固定接点１３の間には、個々のスナッププレート４０の中央部下面４１と絶縁シート３０の上面の間にある個々のギャップ、絶縁シート３０、絶縁シート３０の個々の導電体３１、絶縁シート３０の個々の導電体３１と回路基板１０の個々の固定接点１３の間にあるギャップＬ４が介在している。
【００５３】
キースイッチ装置の個々のキースイッチＳＷ２は、図６に示すように、回路基板１０の上面にスイッチユニット７１が重合固定されて、回路基板１０の上面に免震シート２０が重合固定され、その免震シート２０の上面に絶縁シート３０が重合固定され、その絶縁シート３０の上面にスナッププレート４０が設けられ、そのスナッププレート４０が、カバーテープ５０によって上から押さえられて、絶縁シート３０の上面に固定されている。また、スナッププレート４０、絶縁シート３０の導電体３１、免震シート２０の貫通孔２１、回路基板１０の固定接点１３は、平面視で同心状に配置されて、各キー配置に、正確に配列されている。また、絶縁シート３０の導電体３１と回路基板１０の固定接点１３は、免震シート２０をスペーサとして形成されたギャップ（免震シート２０の厚み）Ｌ４の上下に配置されて、対向している。また、その絶縁シート３０の導電体３１と回路基板１０の固定接点１３を覆い跨るように、スナッププレート４０が、絶縁シート３０の上面に設けられている。スナッププレート４０の外縁部と回路基板１０の間には、絶縁シート３０と免震シート２０が介在している。また、スナッププレート４０の凹部４２と回路基板１０の固定接点１３の間には、スナッププレート４０の中央部下面４１と絶縁シート３０の上面の間にあるギャップ、絶縁シート３０、絶縁シート３０の導電体３１、絶縁シート３０の導電体３１と回路基板１０の固定接点１３の間にあるギャップＬ４が介在している。
【００５４】
こうしてキースイッチ装置の個々のキースイッチＳＷ２は、回路基板１０の接点である固定接点１３上に変形可能なバネ性を有するドーム状金属板であるスナッププレート４０が搭載されて、構成されている。具体的には、回路基板１０とスナッププレート４０の間に免震シート２０が設けられ、その免震シート２０の固定接点１３部分に貫通孔２１が設けられ、その貫通孔２１を跨るようにスナッププレート４０が免震シート４０上に設けられている。また、回路基板１０の上面１０ａには２つの接点である第１固定接点１４と第２固定接点１５がそれぞれ櫛歯状のパターンを有しそれらが所定のギャップＬ３をもって噛合するように形成されている。また、スナッププレート４０中央部には底部が平坦な凹部４２が設けられ、その凹部４２の底部を少なくとも一方の接点パターンの１ラインである第１固定接点１４の歯部ライン１４ｂの１ラインとそれに隣接するもう一方の接点パターンの１ラインである第２固定接点１５の歯部ライン１５ｂの１ラインに跨る直径（大きさ）に形成してある。また、免震シート２０とスナッププレート４０の間に絶縁シート３０が設けられ、その絶縁シート３０上にスナッププレート４０が設けられ、絶縁シート３０下面には下方の２つの接点パターンである第１固定接点１４と第２固定接点１５に免震シート２０をスペーサとして形成したギャップＬ４をもって対向する導電体３１が設けられ、その導電体３１を少なくとも一方の接点パターンの１ラインである第１固定接点１４の歯部ライン１４ｂの１ラインとそれに隣接するもう一方の接点パターンの１ラインである第２固定接点１５の歯部ライン１５ｂの１ラインに跨る直径（大きさ）に形成してある。さらに、スナッププレート４０を固定するカバーテープ５０を設けている。
【００５５】
次に、キースイッチ装置の個々のキースイッチＳＷ２の動作について説明する。
【００５６】
図６はキースイッチＳＷ２がＯＦＦのときの状態を示しており、このＯＦＦ状態からスナッププレート４０の中心部を図示しないキーを介して押し下げすると、スナッププレート４０の凹部４２の周囲にある中央部が、凸状から凹状に反転変形し、スナッププレート４０の中央部下面４１が、下方の絶縁シート３０を押し下げる。それにより、絶縁シート３０の下面に設けられた導電体３１を、下方の回路基板１０の固定接点１３に当接させ、固定接点１３の第１固定接点１４と第２固定接点１５を導電体３１を介して導通させ、スナッププレート４０ではなく絶縁シート３０の下面に設けられた導電体３１を可動接点としてキースイッチＳＷ２をＯＮにする。
【００５７】
このＯＮ状態で図示しないキーから手指を離し、スナッププレート４０の押し下げを解除すると、スナッププレート４０の凹部４２の周囲にある中央部は、元の凸状に戻り、それに伴い絶縁シート３０も、元の平らな状態に戻る。それにより、絶縁シート３０の下面に設けられた可動接点としての導電体３１が、回路基板１０の固定接点１３から離反し、固定接点１３の第１固定接点１４と第２固定接点１５の間の導通は断たれる。すなわちキースイッチＳＷ２がＯＦＦになる。
【００５８】
以上、キースイッチ装置の個々のキースイッチＳＷ２は、ドーム状金属板であるスナッププレート４０の反転時の動作力の変化によって、クリック感触を付与するので、ドーム状金属板特有のシャープで明瞭なクリック感触を得ることができる。
【００５９】
また、回路基板１０とスナッププレート４０の間に免震シート２０を設け、免震シート２０によって、スナッププレート４０の動作時の振動が回路基板１０に伝わるのを軽減するので、操作音を低減することができる。ここで、回路基板１０とスナッププレート４０の間には、免震シート２０と併せて、絶縁シート３０も介在するので、スナッププレート４０の動作時の振動が回路基板１０に伝わるのをさらに軽減し、操作音をさらに低減することができる。
【００６０】
また、スナッププレート４０が直接回路基板１０に当接しないようにし、スナッププレート４０による回路基板４０の打鍵音を無くしているので、操作音をさらに低減することができる。ここで、回路基板１０と並行させたスナッププレート４０の中央部下面４１によって、絶縁シート３０を面当たりで押し下げ、導電体３１を面当たりで櫛歯状の第１固定接点１４と第２固定接点１５に接触させるので、免震シート４０の採用で櫛歯状のパターンを有することになった回路基板１０の第１固定接点１４と第２固定接点１５と、スナッププレート４０との安定した接触を得ることができ、高い接触信頼性を確保することができる。
【００６１】
また、スナッププレート４０を固定するカバーテープ５０を設け、スナッププレート４０と免震シート２０（スペーサ）と絶縁シート３０とカバーテープ５０を、１枚のシート状のスイッチユニット７１として取り扱うので、キースイッチＳＷ２の製造が容易に行え、コストも安くなる。
【００６２】
以上、２つの実施形態は本発明の好ましい実施形態を説明したが、本発明はそれに限定されることなく、その要旨を逸脱しない範囲内で種々変形実施することができる。
【符号の説明】
【００６３】
１０  回路基板
１０ａ  上面
１３  固定接点
１４  第１固定接点
１４ｂ  歯部ライン
１５  第２固定接点
１５ｂ  歯部ライン
２０  免震シート
２１  貫通孔
３０  絶縁シート
３１  導電体
４０  スナッププレート
４２  凹部
５０  カバーテープ
Ｌ３  ギャップ
Ｌ４  ギャップ
ＳＷ１  キースイッチ
ＳＷ２  キースイッチ
【図１】
0005555547.tif 000002
【図２】
0005555547.tif 000003
【図３】
0005555547.tif 000004
【図４】
0005555547.tif 000005
【図５】
0005555547.tif 000006
【図６】
0005555547.tif 000007
【図７】
0005555547.tif 000008